(57)【要約】【課題】安価な構成で、フォークリフトによる運搬作業性を損なうことなく、安全にベルトもしくはロープによる吊り上げ搬入が可能で複数機種で使用可能となる信頼性の高い空気調和機の室外ユニットを提供すること。【解決手段】本発明の空気調和機の室外ユニットは、室外ユニット本体の下部に、フォークリフトのフォークリフト爪を挿入する挿入口を有した一対の脚を備え、挿入口の周縁上辺を凹凸上に形成したことにより、ベルトもしくはロープにより室外ユニットを吊り上げて搬入する際は、室外ユニットの重心位置に合わせてベルトもしくはロープの位置を自由に選択することで凹凸によりベルトもしくはロープがずれることがなく、吊り上げ時に室外ユニットが傾くことなく垂直姿勢で搬入できるため安全かつ容易に短時間での運搬が可能となる。【選択図】図１
2011208896.tif 000002
【特許請求の範囲】
【請求項１】
室外ユニット本体の下部に、フォークリフトのフォークリフト爪を挿入する挿入口を有した一対の脚を備え、前記挿入口の周縁上辺を凹凸上に形成したことを特徴とする空気調和機の室外ユニット。
【請求項２】
前記挿入口の上辺は、外側に向かって上方に傾斜するように形成したことを特徴とする請求項１に記載の空気調和機の室外ユニット。
【発明の詳細な説明】
【技術分野】
【０００１】
本発明は空気調和機の室外ユニットに関する。
【背景技術】
【０００２】
近年、大能力タイプのルームエアコンの室外ユニットやパッケージエアコンの室外ユニットでは、大型化に伴う製品重量の増加により、空気調和機本体の運搬性を向上させるためにフォークリフトによる運搬が可能な開口部が設けられ、ビルの屋上等高層階への搬入の際は、その開口部にベルトやロープを通して吊り上げ搬入が可能な構成となっている（例えば、特許文献１参照）。
【０００３】
以下に、従来の空気調和機の室外ユニットの構成を図４を用いて説明する。
【０００４】
図４において、空気調和機の室外ユニット1は、天板２と前板３、側板４からなる外箱５及び底板６で形成され、内部にファン、電源板、熱交換器、圧縮機等が（いずれも図示せず）が配設されている。底板６の下面には前後に室外ユニット１を支える一対の脚７が設けられ、この脚７は、室外ユニット１の奥行き方向に運搬のためのフォークリフト爪８を挿入するフォークリフト爪挿入口７aが形成されている。また、フォークリフト爪挿入口７aの周縁両側端部には、室外ユニット１を吊り上げるベルトもしくはロープを引っ掛け可能な溝部７ｂを形成している。
【０００５】
以上のように構成された空気調和機の室外ユニットにおいて、フォークリフトにより室外ユニット１を運搬する際は、フォークリフト爪８を脚７に形成したフォークリフト爪挿入口７aに挿入し室外ユニット１を持ち上げる。次にビルの屋上等高層階への搬入の際は、フォークリフト爪挿入口７aにベルトもしくはロープ９を通し室外ユニット１を吊り上げるが、この時ベルトもしくはロープ９を溝部７ｂに引っ掛けることでベルトもしくはロープ９がそれぞれ左右にずれることが無く吊下げ作業が容易に短時間で行うことが可能となる。
【先行技術文献】
【特許文献】
【０００６】
【特許文献１】特開２００５−２６５２３８号公報
【発明の概要】
【発明が解決しようとする課題】
【０００７】
しかしながら、前記従来の空気調和機の室外ユニットの構成では、室外ユニット１の重心位置が中央部にある場合は、安定して吊り上げることができるものの、左右どちらかにずれていた場合には、吊り上げ時に室外ユニット１が左右に傾いてしまい、室外ユニット１が倒れてしまう可能性があるという課題を有していた。
【０００８】
そして、このような場合には、室外ユニット１を垂直に吊り上げるには左右のベルトもしくはロープ９の長さを調節する必要があり時間がかかってしまい、また、溝部７ｂの位置を室外ユニット１の重心位置に合わせて形成することで、ベルトもしくはロープ９の長さを調整することなく、垂直に安定して吊り上げることも可能であるが、脚７は一品一様のこの機種専用の部品となってしまい、複数機種間での共用化ができなくなる。
【０００９】
本発明は、前記従来の課題を解決するもので、安価な構成で、フォークリフトによる運搬作業性を損なうことなく、安全にベルトもしくはロープによる吊り上げ搬入が可能で複
数機種で使用可能となる信頼性の高い空気調和機の室外ユニットを提供することを目的とするものである。
【課題を解決するための手段】
【００１０】
前記従来の課題を解決するために、本発明の空気調和機の室外ユニットは、室外ユニット本体の下部に、フォークリフトのフォークリフト爪を挿入する挿入口を有した一対の脚を備え、挿入口の周縁上辺を凹凸上に形成したことにより、ベルトもしくはロープにより室外ユニットを吊り上げて搬入する際は、室外ユニットの重心位置に合わせてベルトもしくはロープの位置を自由に選択することで凹凸によりベルトもしくはロープがずれることがなく、吊り上げ時に室外ユニットが傾くことなく垂直姿勢で搬入できるため安全かつ容易に短時間での運搬が可能となる。
【発明の効果】
【００１１】
本発明は、安価な構成で、フォークリフトによる運搬作業性を損なうことなく、安全にベルトもしくはロープによる吊り上げ搬入が可能で複数機種で使用可能となる信頼性の高い空気調和機の室外ユニットを提供することができる。
【図面の簡単な説明】
【００１２】
【図１】本発明の実施の形態１における空気調和機の室外ユニットの斜視図
【図２】同実施の形態１における部分正面図
【図３】本発明の実施の形態２における部分正面図
【図４】従来の空気調和機の室外ユニットの斜視図
【発明を実施するための形態】
【００１３】
第１の発明の空気調和機の室外ユニットは、室外ユニット本体の下部に、フォークリフトのフォークリフト爪を挿入する挿入口を有した一対の脚を備え、挿入口の周縁上辺を凹凸上に形成したことにより、ベルトもしくはロープにより室外ユニットを吊り上げて搬入する際は、室外ユニットの重心位置に合わせてベルトもしくはロープの位置を自由に選択することで凹凸によりベルトもしくはロープがずれることがなく、吊り上げ時に室外ユニットが傾くことなく垂直姿勢で搬入できるため安全かつ容易に短時間での運搬が可能となる。
【００１４】
第２の発明の空気調和機の室外ユニットは、特に第１の発明において、挿入口の上辺は、外側に向かって上方に傾斜するように形成したことにより、ベルトもしくはロープを引っ掛けた際のベルトもしくはロープの傾斜が大きくなった場合でも、挿入口の上辺との傾斜が大きくなることでベルトもしくはロープがずれることはない。
【００１５】
以下、本発明の実施の形態について、図面を参照しながら説明する。なお、この実施の形態によって本発明が限定されるものではない。
【００１６】
（実施の形態１）
本発明の実施の形態１における空気調和機の室外ユニットのシャーシ構成は、従来例と同様であるので同じ符号を付してその説明は省略する。
【００１７】
図１は、本発明の実施の形態1における空気調和機の室外ユニットの斜視図で、図２は同室外ユニットの部分正面図である。
【００１８】
図1、図２において、底板６の下面前後に設けた室外ユニット１を支える一対の脚７は、室外ユニット１の奥行き方向に運搬のためのフォークリフト爪８を挿入する左右一対のフォークリフト爪挿入穴７ａが形成され、フォークリフト爪挿入穴７ａの周縁上辺7ｂは
、室外ユニット１を吊り上げるベルトもしくはロープ９が引っ掛かるもしくはその一部が食い込むような凹凸7ｃが形成されている。
【００１９】
そしてフォークリフトにより運搬する際は、フォークリフト爪８を挿入口７aに挿入する。挿入されたフォークリフト爪８は、挿入口７aの周縁上辺7ｂに係り室外ユニット１を持ち上げて運搬が可能となる。
【００２０】
次に、ビルの屋上等高層階への搬入の際は、フォークリフト爪挿入口７aにベルトもしくはロープ９を通し室外ユニット１を持ち上げるが、この時ベルトもしくはロープ９は上辺7ｂの凹凸7ｃにより引っかかりもしくはその一部が凹凸7ｃに食い込むことでベルトもしくはロープ９がそれぞれ左右にずれることは無い。
【００２１】
また、この時、室外ユニット１の重心の位置が室外ユニット１の左右方向どの部分にあっても、ベルトもしくはロープ９を引っ掛ける位置をずらすことで室外ユニット１を吊り上げた際にその位置にベルトもしくはロープが固定され、室外ユニット１吊り上げ時の重心がずれることがなく、吊り上げ作業が容易に短時間で且つ安全に行うことが可能となる。
【００２２】
以上のように、本実施の形態によれば、安価な構成で安全にしかも短時間での運搬が可能となるものである。
【００２３】
（実施の形態２）
図３は、本発明の第２の実施の形態における空気調和機の室外ユニットの部分正面図である。なお、上記実施の形態１と同一部分については同一符号を付してその説明を省略する。
【００２４】
図３に示すように、本実施の形態２では、フォークリフト爪挿入口７ａの上辺７ｂを外側に向かって上方傾斜するように形成されている。これによりベルトもしくはロープ９を引っ掛けた際のベルトもしくはロープの傾斜角Aが大きくなった場合でも、ベルトもしくはロープ９と挿入口７ａの上辺７ｂとの傾斜角Bが大きくなることでベルトもしくはロープ９がずれることはなく、より安全な運搬が可能となるものである。
【産業上の利用可能性】
【００２５】
以上のように、本発明に係る空気調和機の室外ユニットは、安価な構成で、安全かつ確実に、しかも簡単にベルトもしくはロープによる吊り上げ運搬ができるので、作業効率が非常に良く製品の品質も向上する。そのため、空気調和機の室外ユニットだけに限らず、重量物全般に適用できる。
【符号の説明】
【００２６】
７  脚
７a  フォークリフト爪挿入口
７ｂ  上辺
７ｃ  凹凸
８  フォークリフト爪
【図１】
2011208896.tif 000003
【図２】
2011208896.tif 000004
【図３】
2011208896.tif 000005
【図４】
2011208896.tif 000006